(57)【特許請求の範囲】
【請求項１】
合成樹脂材が金型に射出されて成形される函体には凹陥する乾電池の収容部を備えられ、該収容部において、乾電池の一方の正極の突出部と対面して設けられる正極側内壁板部には、乾電池の正極の突出部を嵌入する凹陥孔が設けられると共にその凹陥孔と対面して前記乾電池の正極の突出部の先端面が衝突・接触する固定正極給電極板が対設され、乾電池の他方の負極となる中心寄り底面部と対面して設けられる負極側内壁部には軸受孔が設けられ、該軸受孔には乾電池の負極の中心寄り底面部と連接する可動負極給電極子がコイルバネにより付勢され、軸方向のコイルバネを圧縮する方向と拡張する方向にスライド可能に軸受けされてなる玩具用乾電池ボックス。
【請求項２】
前記可動負極給電極子は、導電性金属材により頂部が湾曲する半円球面に、外周部が互いに平行する円筒面に、基縁部が外側に屈曲する鍔面に夫々形成される請求項１の玩具用乾電池ボックス。
【請求項３】
前記可動負極給電極子は、導電性の金属板がプレスされて頂部が湾曲する半円球面に、外周部が互いに平行する円筒面に、基縁部が外側に折曲する鍔面に夫々形成される請求項１の玩具用乾電池ボックス。
【請求項４】
前記収容部は、区画壁により乾電池を一個ずつ区画して二個並列に収容する第１区画室と第２区画室が形成され、前記収容部の第１区画室と第２区画室において、乾電池の一方の正極の突出部と対面して設けられる第１正極側内壁板部と第２正極側内壁板部には、乾電池の正極の突出部を嵌入する第１凹陥孔と第２凹陥孔が設けられると共に夫々の第１凹陥孔と第２凹陥孔には対面して前記乾電池の正極の突出部の先端面が夫々衝突・接触する第１固定正極給電極板と第２固定正極給電極板が対設される請求項１又は請求項２の玩具用乾電池ボックス。
【請求項５】
前記収容部は区画壁により乾電池を一個ずつ区画して二個並列に収容する第１区画室と第２区画室が形成され、前記収容部の第１区画室と第２区画室において、乾電池の他方の負極となる中心寄り底面部と対面して設けられる第１負極側内壁板部と第２負極側内壁板部には、第１軸受孔と第２軸受孔が設けられ、該第１軸受孔と第２軸受孔には、乾電池の負極の中心寄り底面部と連接する第１可動負極給電極子と第２可動負極給電極子が第１コイルバネと第２コイルバネにより夫々付勢され、軸方向の圧縮方向と拡張方向にスライド可能に夫々軸受けされる請求項４の玩具用乾電池ボックス。
【請求項６】
前記第１可動負極給電極子と第２可動負極給電極子は、導電性の金属板がプレスされて頂部が湾曲する半円球面に、外周部が互いに平行する円筒面に、基縁部が外側に折曲する鍔面に夫々形成され、前記第１可動負極給電極子の外周部は第１軸受孔に、第２可動負極給電極子の外周部は第２軸受孔に夫々遊嵌され、夫々の内面には第１コイルバネの一端と、第２コイルバネの一端とが嵌入・接続されて付勢され、第１可動負極給電極子の基縁部の鍔面は第１負極側内壁板部の反対面に、第２可動負極給電極子の基縁部の鍔面は第２負極側内壁板部の反対面に夫々移動・連接され、第１負極側内壁板部の頂部が第１区画室に、第２負極側内壁板部の頂部が第２区画室に夫々突出状態に保持されてなる請求項５の玩具用乾電池ボックス。
【請求項７】
前記第１可動負極給電極子と第２可動負極給電極子は、導電性金属材により形成されて頂部が湾曲する半円球面に、外周部が互いに平行する円筒面に、基縁部が外側に屈曲する鍔面に夫々形成され、前記第１可動負極給電極子の外周部は第１軸受孔に、第２可動負極給電極子の外周部は第２軸受孔に夫々遊嵌され、夫々の内面には第１コイルバネの一端と、第２コイルバネの一端とが嵌入・接続されて付勢され、第１可動負極給電極子の基縁部の鍔面は第１負極側内壁板部の反対面に、第２可動負極給電極子の基縁部の鍔面は第２負極側内壁板部の反対面に夫々移動・連接され、第１負極側内壁板部の頂部が第１区画室に、第２負極側内壁板部の頂部が第２区画室に夫々突出状態に保持されてなる請求項５の玩具用乾電池ボックス。
【請求項８】
閉鎖部材板は、函体における第２負極側内壁板部の隣接する取付部のネジ取付孔にネジを螺合して固着し、閉鎖部材板は取付孔を上下に貫通し、閉鎖部材板の裏面に位置決めピンが一体に設けられ、前記位置決めピンは函体における第２負極側内壁板部の隣接する取付部に開口するピン用嵌合孔に嵌入するように設けられる請求項５、請求項６、請求項７の何れか１の玩具用乾電池ボックス。
【請求項９】
第１スイッチ導電板は、第１スイッチ接点板部と第１接続板部を構成するＬ型に形成され、前記第１スイッチ接点板部は、第１区画室及び第２区画室に対応して函体の長手方向の一方の端部に形成されたスイッチ台部の第１区画室に対応する第１載設溝部に載置され、前記第１接続板部は、スイッチ台部の前記第１負極側内壁板部と離隔して対設される内壁面に対応して配置され、この第１接続板部には、保持孔が開口され、該保持孔に前記第１コイルバネの一方の端部が嵌合され、第１コイルバネが第１接続板部に導通接続されると共に、第１コイルバネを定位置に保持し、第１コイルバネの他端に接続する第１可動負極給電極子を拡張力により軸方向に移動し、第１可動負極給電極子の基縁部の鍔面を前記第１負極側内壁板部の外方側面に押圧させてなる請求項５、請求項６、請求項７、請求項８の何れか１の玩具用乾電池ボックス。
【請求項１０】
前記第１スイッチ接点板部の先端には、下側に折曲される第１定置片が接続され、該定置片が前記スイッチ台部に開口する第１定置孔に差入れられて、第１定置片と第１接続板部のバネ作用により第１スイッチ導電板の全体が組立て時に定位置に保持される請求項９の玩具用乾電池ボックス。
【請求項１１】
第２スイッチ導電板は、第２スイッチ接点板部と前記第２固定正極給電極板を構成する第２接続板部とによりＬ型に形成され、前記第２スイッチ接点板部は、第１区画室及び第２区画室に対応して函体の長手方向の一方の端部に形成されたスイッチ台部の第２区画室に対応する第２載設溝部に載置され、前記第２固定正極給電極板は、スイッチ台部の前記第２正極側内壁板部の内壁面に対応した配置され、この第２スイッチ導電板の第２スイッチ接点板部の先端には、下側に折曲される第２定置片が接続され、該第２定置片が前記スイッチ台部に開口する第２定置孔に差入れられて、第２定置片と第２接続板部の第２正極側内壁板部のバネ作用により第２スイッチ導電板の全体が組立て時に定位置に保持される請求項５、請求項６、請求項７、請求項８、請求項９、請求項１０の何れか１の玩具用乾電池ボックス。
【請求項１２】
スライドスイッチは、スライドスイッチ本体とスイッチバネ板が結合され、前記スライドスイッチ本体は、その上面に長方形に突出する摘み部が具えられ、その下面に函体のスイッチ台部のスライド支承面に連接する平坦面が形成されるとともに該平坦面の中央部分が凹陥取付部に形成され、かつその凹陥取付部の中心の天井面から取付軸が垂設され、前記スイッチバネ板は、前記スライドスイッチ本体の取付軸に嵌合する取付孔が中央に具えられた取付部とその両側に接続される左側湾曲接触部と右側湾曲接触片が具えられる請求項５、請求項６、請求項７、請求項８、請求項９、請求項１０、請求項１１の何れか１の玩具用乾電池ボックス。
【請求項１３】
スライドスイッチ装着カバーは、取付孔を具え、上面から取付孔に嵌合したネジを前記函体のスイッチ台に設けたネジ取付孔に螺合されて取付けられ、前記スライドスイッチ装着カバーは、上面に摘み用案内孔が開口され、摘み用案内孔にスライドスイッチ本体の摘み部を嵌挿して、スライドスイッチ本体にスイッチバネ板を取付軸に嵌合して一体にスライド自在に組付けてなる請求項５、請求項６、請求項７、請求項８、請求項９、請求項１０、請求項１１の何れか１の玩具用乾電池ボックス。
【請求項１４】
前記スライドスイッチ装着カバーは、前記第１負極側内壁板部に上面が開放された第１軸受孔を閉鎖する閉鎖部が一体に形成されている請求項１３の玩具用乾電池ボックス。
【発明の詳細な説明】
【技術分野】
【０００１】
本発明は、玩具用乾電池ボックスに関するものである。
【背景技術】
【０００２】
従来、電気機器、電動玩具に使用される乾電池としては、マンガン乾電池とアルカリ乾電池がある。マンガン乾電池は、正極兼減極剤として二酸化マンガン、負極に亜鉛、電解液に塩化亜鉛を用いる。塩化亜鉛は二酸化マンガンと混合された黒色のペーストの形で亜鉛容器に詰められる。容器はメタルジャケットと呼ばれるチューブで漏液しないように覆われるものである。
アルカリ乾電池は負極に亜鉛粉、正極に二酸化マンガンを用いる。容器は正極に構成され、底面部の中心寄り部分が負極となり、容器の外周面と外周面寄り部分に絶縁材である合成樹脂フイルムラベルが巻付・接着されて覆われるものであるから、アルカリ乾電池の底面部では僅かな間隔で正極と負極が絶縁材を介在して対面する。そこで、アルカリ乾電池が前記絶縁材の合成樹脂フイルムラベルにより被覆されているとしても、合成樹脂フイルムラベルは金属材の尖頭により容易に破損するため、例えば、図１０に示すように、乾電池ボックス４２の負極のコイルスプリングから構成される弾性接点部材４３がアルカリ乾電池４４の負極、すなわち、アルカリ乾電池の中心部分４５に接触し、かつ、弾性接点部材４３の一部４３ａがアルカリ乾電池４４の外観面に横から対応した状態で無理に蓋体４６が閉められる等により押し付けられると、弾性接点部材４３が合成樹脂フイルムラベル４７を破損させてアルカリ乾電池の容器外周面４４ａの正極に接触し、アルカリ乾電池４４をショートさせることになる。そこで、アルカリ乾電池４４が発熱して電気機器、電動玩具が危険な状態になるものである。
また、電気機器、電動玩具の乾電池収容部に乾電池を収容する場合には、単数個、複数個を問わず夫々の極性を正しく接続することが必要である。
【０００３】
特許文献１には、前記の目的から、乾電池又は乾電池を内蔵した電池パックを収容するものであって少なくとも一組の対向する片を有するように凹状に形成された電池収容部と、電池収容部の対向する片の一方に設けられた陽極端子と、乾電池収容部の対向する片の他方に設けられた弾性可能な陰極端子とを備え、電池又は電池パックを電池収容部に収容するとき、電池又は電池パックの陰極を陰極端子の付勢力が作用する方向に弾性変形させてそれに電気的に接続し、電池又は電池パックの陽極を陽極端子に電気的に接続する電池式電気機器において、前記電池収容部の陰極端子側の縁部に、電池又は電池パックを陰極端子の付勢力が作用する方向に対し略直交方向から進入させると進入を妨害し、電池又は電池パックを陰極端子の付勢力が作用する方向から進入させると進入を可能とする収容規制部材を設けてなる電池式電気機器が提案されている。
【０００４】
特許文献２には、前記目的から、電池を収容するための電池格納部と、上記電池の第１の極（負極）が接続される第１の接点（負極接点）とを含む、電池ホルダーであって、上記電池の上記第１の極（負極）と対極である第２の極（正極）が接続される第２の接点（正極接片）と、上記電池の第２の極（正極）のみを上記第２の接点（正極接片）に導通し上記電池の上記第１の極（負極）を貫通できない大きさの穴が形成され、上記第１の接点（負極）が第２の接点（正極接片）に導通させないように構成された絶縁体と、上記第２の接点（正極接片）に結合され、伝導性の材料よりなり、上記第２の接点（正極接片）を上記第１の接点（負極接点）に向かう方向に移動可能に付勢する付勢手段（バネ部材）と、を更に含むことを特徴とする電池ホルダーが提案されている。
【０００５】
特許文献３には、特にアルカリ電池が発熱して玩具が危険な状態になることを回避するため、電池が挿入される収納部の長手方向に弾性変形可能なスプリング形状の負極端子を具えた電池ボックスにおいて、挿入される乾電池の側面が前記負極端子と接触するのを防止する接触防止部材を、前記負極端子の先端部付近の上方であって、且つ、挿入された電池の負極とこの電池により圧縮された前記負極端子との接触位置を避けた位置の上方に設けるとともに、この接触防止部材を、前記収納部の長手方向と交差する方向において前記収納部の側壁間に連続した状態で掛け渡された掛け渡し部として形成してあることを特徴する電池ボックスが提案されている。
【０００６】
【特許文献１】実開平７−３６４８０号公報
【特許文献２】特開２００３−２２９１１１号公報
【特許文献３】特許第４０２５５５７号公報
【発明の開示】
【発明が解決しようとする課題】
【０００７】
前記特許文献１の電池式電気機器は、電池収容部の陰極端子側の縁部に、電池又は電池パックを陰極端子の付勢力が作用する方向に対し略直交方向から進入させると進入を阻止し、電池又は電池パックを陰極端子の付勢力が作用する方向から進入させると進入を可能とする収容規制部材を設けてなるものであるから、収容規制部材は、電池収容部の入口の一部に内壁から突出させるものであり、この突出部を射出成形機で成形する場合に成形型の移動方向と交差する移動が成形型の一部に必要となり、それがため成形型が複雑になり玩具の製造コスト高を免れなかった。
【０００８】
前記特許文献２の電池ホルダーは、電池の第２の極（正極）のみを第２の接点（正極接片）に導通し、電池の第１の極（負極）を貫通できない大きさの穴が形成され、上記第１の接点（負極）が第２の接点（正極接片）に導通させないように構成された絶縁体と、上記第２の接点（正極接片）に結合され、伝導性の材料よりなり、上記第２の接点（正極接片）を上記第１の接点（負極接点）に向かう方向に移動可能に付勢する付勢手段（バネ部材）とを含む構成にあるから、電池を電池ホルダーに挿入する場合、第２の極（正極）の高さが重要な要素となり、その高さは僅かであるので、弾圧ストロークが短く、十分なバネ圧を得ることができない欠点がある。精密機械及び電気機械のオペレーターのような操作能力の高い者が取り扱う場合は良いが、玩具のように一般人が取り扱うものでは、適正に電池等を適正に電池収容部に収容できない場合が多い欠点がある。
【０００９】
前記特許文献３の電池ボックスも、接触防止部材を、前記負極端子の先端付近の上方であって、且つ、挿入された乾電池の負極とこの電池により圧縮された前記負極端子との接触位置を避けた位置の上方に設けるとともに、この接触防止部材を、前記収納部の長手方向と交差する方向において前記収納部の側壁間に連続した状態で掛け渡し部が形成されるものであるから、前記特許文献１の電池収容部と同様に、接触防止部材を、射出成形機の成形型の移動方向と交差する形状に成形するものであり、それ故に成型が複雑になり、前記特許文献１と同様に玩具の製造コスト高を免れなかった。
【００１０】
本発明の玩具用乾電池ボックスは、前記従来の欠点を解消し、成形型の移動方行と交差方向に延びて形成される部分がなく、単に乾電池収容部に乾電池を落とし込めば、自動的に可動接点が没入し、乾電池の負極と正極が乾電池収容部に配置される固定接点と可動接点に容易に正しく接続することを目的になされたものである。
【課題を解決するための手段】
【００１１】
合成樹脂材が金型に射出されて成形される函体には凹陥する乾電池の収容部を備えられ、該収容部において、乾電池の一方の正極の突出部と対面して設けられる正極側内壁板部には、乾電池の正極の突出部を嵌入する凹陥孔が設けられると共にその凹陥孔と対面して前記乾電池の正極の突出部の先端面が衝突・接触する固定正極給電極板が対設され、乾電池の他方の負極となる中心寄り底面部と対面して設けられる負極側内壁部には軸受孔が設けられ、該軸受孔には乾電池の負極の中心寄り底面部と連接する可動負極給電極子がコイルバネにより付勢され、軸方向のコイルバネを圧縮する方向と拡張する方向にスライド可能に軸受けされてなる玩具用乾電池ボックスにある。
【００１２】
前記可動負極給電極子は、導電性金属材により頂部が湾曲する半円球面に、外周部が互いに平行する円筒面に、基縁部が外側に屈曲する鍔面に夫々形成される玩具用乾電池ボックスとしてもよいものである。
【００１３】
前記可動負極給電極子は、導電性の金属板がプレスされて頂部が湾曲する半円球面に、外周部が互いに平行する円筒面に、基縁部が外側に折曲する鍔面に夫々形成される玩具用乾電池ボックスとしてもよいものである。
【００１４】
前記収容部は、区画壁により乾電池を一個ずつ区画して二個並列に収容する第１区画室と第２区画室が形成され、前記収容部の第１区画室と第２区画室において、乾電池の一方の正極の突出部と対面して設けられる第１正極側内壁板部と第２正極側内壁板部には、乾電池の正極の突出部を嵌入する第１凹陥孔と第２凹陥孔が設けられると共に夫々の第１凹陥孔と第２凹陥孔には対面して前記乾電池の正極の突出部の先端面が夫々衝突・接触する第１固定正極給電極板と第２固定正極給電極板が対設される玩具用乾電池ボックスとしてもよいものである。
【００１５】
前記収容部は区画壁により乾電池を一個ずつ区画して二個並列に収容する第１区画室と第２区画室が形成され、前記収容部の第１区画室と第２区画室において、乾電池の他方の負極となる中心寄り底面部と対面して設けられる第１負極側内壁板部と第２負極側内壁板部には、第１軸受孔と第２軸受孔が設けられ、該第１軸受孔と第２軸受孔には、乾電池の負極の中心寄り底面部と連接する第１可動負極給電極子と第２可動負極給電極子が第１コイルバネと第２コイルバネにより夫々付勢され、軸方向の圧縮方向と拡張方向にスライド可能に夫々軸受けされる玩具用乾電池ボックスとしてもよいものである。
【００１６】
前記第１可動負極給電極子と第２可動負極給電極子は、導電性の金属板がプレスされて頂部が湾曲する半円球面に、外周部が互いに平行する円筒面に、基縁部が外側に折曲する鍔面に夫々形成され、前記第１可動負極給電極子の外周部は第１軸受孔に、第２可動負極給電極子の外周部は第２軸受孔に夫々遊嵌され、夫々の内面には第１コイルバネの一端と、第２コイルバネの一端とが嵌入・接続されて付勢され、第１可動負極給電極子の基縁部の鍔面は第１負極側内壁板部の反対面に、第２可動負極給電極子の基縁部の鍔面は第２負極側内壁板部の反対面に夫々移動・連接され、第１負極側内壁板部の頂部が第１区画室に、第２負極側内壁板部の頂部が第２区画室に夫々突出状態に保持されてなる玩具用乾電池ボックスとしてもよいものである。
【００１７】
前記第１可動負極給電極子と第２可動負極給電極子は、導電性金属材により頂部が湾曲する半円球面に、外周部が互いに平行する円筒面に、基縁部が外側に屈曲する鍔面に夫々形成され、前記第１可動負極給電極子の外周部は第１軸受孔に、第２可動負極給電極子の外周部は第２軸受孔に夫々遊嵌され、夫々の内面には第１コイルバネの一端と、第２コイルバネの一端とが嵌入・接続されて付勢され、第１可動負極給電極子の基縁部の鍔面は第１負極側内壁板部の反対面に、第２可動負極給電極子の基縁部の鍔面は第２負極側内壁板部の反対面に夫々移動・連接され、第１負極側内壁板部の頂部が第１区画室に、第２負極側内壁板部の頂部が第２区画室に夫々突出状態に保持されてなる玩具用乾電池ボックスとしてもよいものである。
【００１８】
閉鎖部材板は、函体における第２負極側内壁板部の隣接する取付部のネジ取付孔にネジを螺合して固着し、閉鎖部材板は取付孔を上下に貫通し、閉鎖部材板の裏面に位置決めピンが一体に設けられ、前記位置決めピンは函体における第２負極側内壁板部の隣接する取付部に開口するピン用嵌合孔に嵌入するように設けられる玩具用乾電池ボックスとしてもよいものである。
【００１９】
第１スイッチ導電板は、第１スイッチ接点板部と第１接続板部を構成するＬ型に形成され、前記第１スイッチ接点板部は、第１区画室及び第２区画室に対応して函体の長手方向の一方の端部に形成されたスイッチ台部の第１区画室に対応する第１載設溝部に載置され、前記第１接続板部は、スイッチ台部の前記第１負極側内壁板部と離隔して対設される内壁面に対応して配置され、この第１接続板部には、保持孔が開口され、該保持孔に前記第１コイルバネの一方の端部が嵌合され、第１コイルバネが第１接続板部に導通接続されると共に、第１コイルバネを定位置に保持し、第１コイルバネの他端に接続する第１可動負極給電極子を拡張力により軸方向に移動し、第１可動負極給電極子の基縁部の鍔面を前記第１負極側内壁板部の外方側面に押圧させてなる玩具用乾電池ボックスとしてもよいものである。
【００２０】
前記第１スイッチ接点板部の先端には、下側に折曲される第１定置片が接続され、該定置片が前記スイッチ台部に開口する第１定置孔に差入れられて、第１定置片と第１接続板部のバネ作用により第１スイッチ導電板の全体が組立て時に定位置に保持される玩具用乾電池ボックスとしてもよいものである。
【００２１】
第２スイッチ導電板は、第２スイッチ接点板部と前記第２固定正極給電極板を構成する第２接続板部によりＬ型に形成され、前記第２スイッチ接点板部は、第１区画室及び第２区画室に対応して函体の長手方向の一方の端部に形成されたスイッチ台部の第２区画室に対応する第２載設溝部に載置され、前記第２固定正極給電極板は、スイッチ台部の前記第２正極側内壁板部の内壁面に対応した配置され、この第２スイッチ導電板の第２スイッチ接点板部の先端には、下側に折曲される第２定置片が接続され、該第２定置片が前記スイッチ台部に開口する第２定置孔に差入れられて、第２定置片と第２接続板部の第２正極側内壁板部のバネ作用により第２スイッチ導電板の全体が組立て時に定位置に保持される玩具用乾電池ボックスとしてもよいものである。
【００２２】
スライドスイッチは、スライドスイッチ本体とスイッチバネ板が結合され、前記スライドスイッチ本体は、その上面に長方形に突出する摘み部が具えられ、その下面に函体のスイッチ台部のスライド支承面に連接する平坦面が形成されるとともに該平坦面の中央部分が凹陥取付部に形成され、かつその凹陥取付部の中心の天井面から取付軸が垂設され、前記スイッチバネ板は、前記スライドスイッチ本体の取付軸に嵌合する取付孔が中央に具えられた取付部とその両側に接続される左側湾曲接触部と右側湾曲接触片が具えられる玩具用乾電池ボックスとしてもよいものである。
【００２３】
スライドスイッチ装着カバーは、取付孔を具え、上面から取付孔に嵌合したネジを前記函体のスイッチ台に設けたネジ取付孔に螺合されて取付けられ、前記スライドスイッチ装着カバーは、上面に摘み用案内孔が開口され、摘み用案内孔にスライドスイッチ本体の摘み部を嵌挿して、スライドスイッチ本体にスイッチバネ板を取付軸に嵌合して一体にスライド自在に組付けてなる玩具用乾電池ボックスとしてもよいものである。
【００２４】
前記スライドスイッチ装着カバーは、前記第１負極側内壁板部に上面が開放された第１軸受孔を閉鎖する閉鎖部が一体に形成されてなる玩具用乾電池ボックスとしてもよいものである。
【発明の効果】
【００２５】
本発明の玩具用乾電池ボックスは、成形型の移動方行と交差方向に延びて空間に形成される部分がなく、単に乾電池収容部に乾電池を落とし込めば自動的に可動接点が没入し、乾電池の負極と正極が乾電池収容部に配置される固定接点と可動接点に容易に正しく接続することができるものである。
【００２６】
また、本発明の玩具用乾電池ボックスは、乾電池がアルカリ乾電池である場合に、その外周面を表装する合成樹脂フイルムラベルを負極電極子である弾性部材による破損を無くし、発熱による負傷を無くすものである。
【００２７】
また、本発明の玩具用乾電池ボックスは、乾電池により構成する電気回路のスイッチ機構を簡易に構成し、製造コストの低減を奏するものである。
【図面の簡単な説明】
【００２８】
【図１】本発明の実施例の玩具用乾電池ボックスの蓋部を開け、要部の構造を示す平面図である。
【図２】図１のＡ−Ａ線に沿う断面図である。
【図３】本発明の実施例の玩具用乾電池ボックスの蓋部を開け、乾電池の負極と正極を正しく接続した状態を示す平面図である。
【図４】本発明の実施例の玩具用乾電池ボックスの第２可動負極給電極子の開放軸受孔を閉鎖する閉鎖部材板単体の一方の上方から見た上方斜視図と他方の下方から見た下方斜視図の一対斜視図である。
【図５】第１スイッチ導電板単体の一方の上方から見た上方斜視図と他方の下方から見た下方斜視図の一対斜視図である。
【図６】第２スイッチ導電板単体の一方の上方から見た上方斜視図と他方の下方から見た下方斜視図の一対斜視図である。
【図７】スライドスイッチ体を構成するスライドスイッチ本体単体とスイッチバネ板単体と一方の上方から見た上方斜視図と他方の下方から見た下方斜視図の一対斜視図である。
【図８】スライドスイッチ装着カバー単体の上方から見た上方斜視図と他方の下方から見た下方斜視図の一対斜視図である。
【図９】本発明の玩具用乾電池ボックスが実施される動物玩具の斜視図である。
【図１０】従来の電玩具用池ボックスにおいて、アルカリ乾電池が誤って収容された状態を示す縦断図である。
【発明を実施するための最良の形態】
【００２９】
合成樹脂材が金型に射出されて成形される函体は凹陥する乾電池の収容部が形成され、該収容部は、区画壁により乾電池を一個ずつ区画して二個並列に収容する第１区画室と第２区画室が形成され、前記収容部の第１区画室と第２区画室において、乾電池の一方の正極の突出部と対面して設けられる第１正極側内壁板部と、第２正極側内壁板部には、乾電池の正極の突出部を嵌入する第１凹陥孔と第２凹陥孔が設けられると共に夫々の第１凹陥孔と第２凹陥孔には対面して前記乾電池の正極の突出部の先端面が夫々衝突・接触する第１固定正極給電極板と第２固定正極給電極板が対設され、乾電池の他方の負極となる中心寄り底面部と対面して設けられる第１負極側内壁板部と第２負極側内壁板部には、第１軸受孔と第２軸受孔が設けられ、該第１軸受孔と第２軸受孔には、乾電池の負極の中心寄り底面部と連接する第１可動負極給電極子と第２可動負極給電極子が第１コイルバネと第２コイルバネより夫々付勢され、軸方向の圧縮方向と拡張方向にスライド可能に夫々軸受けされ、前記第１可動負極給電極子と第２可動負極給電極子は、導電性金属材により頂部が湾曲する半円球面に、外周部が互いに平行する円筒面に、基縁部が外側に屈曲する鍔面に夫々形成され、前記第１可動負極給電極子の外周部は第１軸受孔に、第２可動負極給電極子の外周部は第２軸受孔に夫々遊嵌され、夫々の内面には第１コイルバネの一端と、第２コイルバネの一端とが嵌入・接続されて付勢され、第１可動負極給電極子の基縁部の鍔面は第１負極側内壁板部の反対面に、第２可動負極給電極子の基縁部の鍔面は第２負極側内壁板部の反対面に夫々移動・連接され、第１負極側内壁板部の頂部が第１区画室に、第２負極側内壁板部の頂部が第２区画室に夫々突出状態に保持されてなる玩具用乾電池ボックス。
【実施例】
【００３０】
本発明の玩具用乾電池ボックスは、実施例として図１〜図９に示す玩具用乾電池ボックス１より説明すると、凹陥する乾電池２の収容部３を構成する函体１ａが合成樹脂材を金型に射出して成形される。前記収容部３は、区画壁４ａ及び４ｂにより乾電池２を一個ずつ区画して二個並列に収容する第１区画室３ａと第２区画室３ｂが、実施例である図１、図２及び図３に示すように形成されているが、一個を収容する収容部としてもよいものである。
【００３１】
前記収容部３の第１区画室３ａと第２区画室３ｂにおいて、乾電池２の一方の正極２ａの突出部２ａ１と対面して設けられる第１正極側内壁板部３ａ１と第２正極側内壁板部３ｂ１には、乾電池２の正極２ａの突出部２ａ１を嵌入する第１凹陥孔３ａ１１と第２凹陥孔３ｂ１１が設けられると共に、夫々の第１凹陥孔３ａ１１内と第２凹陥孔３ｂ１１には対面して前記乾電池２の正極２ａの突出部２ａ１の先端面２ａ１１が夫々衝突・接触する第１固定正極給電極板５ａと第２固定正極給電極板５ｂが対設される。
【００３２】
前記収容部３の第１区画室３ａと第２区画室３ｂにおいて、前記乾電池２の他方の負極２ｂとなる中心寄り底面部２ｂ１と対面して設けられる第１負極側内壁板部３ａ２と第２負極側内壁板部３ｂ２には、第１軸受孔３ａ２１と第２軸受孔３ｂ２１が設けられ、該第１軸受孔３ａ２１と第２軸受孔３ｂ２１には、乾電池２の負極２ｂの中心寄り底面部２ｂ１と連接する第１可動負極給電極子６ａと第２可動負極給電極子６ｂが、第１コイルバネ７ａと第２コイルバネ７ｂより夫々付勢され、軸方向の圧縮方向と拡張方向にスライド可能に軸受けされて夫々設けられる。
【００３３】
前記第１可動負極給電極子６ａと第２可動負極給電極子６ｂは、導電性の金属板がプレスされて頂部６ａ１、６ｂ１が湾曲する半円球面に、外周部６ａ２、６ｂ２が互いに平行する円筒面に、基縁部６ａ３、６ｂ３が外側に折曲する鍔面に夫々形成される。
【００３４】
前記第１可動負極給電極子６ａの外周部６ａ２は第１軸受孔３ａ２１に、第２可動負極給電極子６ｂの外周部６ｂ２は第２軸受孔３ｂ２１に夫々遊嵌され、夫々の内面には第１コイルバネ７ａの一端と、第２コイルバネ７ｂの一端とが嵌入・接続されて付勢されるから、拡張方向に移動され、第１可動負極給電極子６ａの基縁部６ａ３の鍔面は第１負極側内壁板部３ａ２の反対面に、第２可動負極給電極子６ｂの基縁部６ｂ３の鍔面は第２負極側内壁板部３ｂ２の反対面に夫々連接されて頂部６ａ１が第１区画室は３ａに、頂部６ｂ１が第２区画室３ｂに夫々突出状態に保持される。
【００３５】
乾電池２を第１区画室３ａに収容するとき、例えば、乾電池２の正極２ａの突出部２ａ１を第１区画室３ａの第１正極側内壁板部３ａ１に対面させたときには、突出部２ａ１を第１凹嵌孔３ａ１１に嵌入し、突出部２ａ１の先端面２ａ１１を第１固定正極給電極板５ａに接触することができる。同様に、乾電池２を第２区画室３ｂに収容するとき、乾電池２の正極２ａの突出部２ａ１を第２区画室３ｂの第２正極側内壁板部３ｂ１に対面させたときには、突出部２ａ１を第２凹嵌孔３ｂ１１に嵌入し、突出部２ａ１の先端面２ａ１１を第２固定正極給電極板５ｂに接触することができる。
【００３６】
次に、例えば、乾電池２の負極２ｂの中心寄り底面部２ｂ１を第１区画室３ａの第１正極側内壁板部３ａ１に対面させたときには、負極２ｂの中心寄り底面部２ｂ１は、第１凹嵌孔３ａ１１より外径が大きく形成されているから、第１凹嵌孔３ａ１１に嵌入することができなく、負極２ｂの中心寄り底面部２ｂ１を対向する第１固定正極給電極板５ａに接触することができない。同様に、乾電池２を第２区画室３ｂに収容するとき、負極２ｂの中心寄り底面部２ｂ１は、第２凹嵌孔３ｂ１１に嵌入することができなく、負極２ｂの中心寄り底面部２ｂ１を対向する第１固定正極給電極板５ａに接触することができない。
また、乾電池２の正極２ａは、第１区画室３ａの第１固定正極給電極板５ａと第２区画室３ｂの第２固定正極給電極板５ｂに常に正しく接続することができる。
【００３７】
乾電池２を第１区画室３ａに収容するとき、乾電池２の正極２ａの突出部２ａ１を第１負極側内壁板部３ａ２に対面させたときには、突出部２ａ１を第１可動負極給電極子６ａの頂部６ａ１に接触させることができ、これを押込んで乾電池２の正極２ａの突出部２ａ１を第１区画室３ａに収容することができる。乾電池２の反対側の負極２ｂの中心寄り底面部２ｂ１は、第１正極側内壁板部３ａ１に第１固定正極給電極板５ａは突出しないから、衝突することがなく容易に乾電池２の負極２ｂ側を第１区画室３ａに収容することができる。もっとも、前述のように、乾電池２の正極２ａ側は第１可動負極給電極子６ａに接続しても乾電池２の負極２ｂの中心寄り底面部２ｂ１は第１固定正極給電極板５ａに接触することができないから給電回路は成立しない。
【００３８】
次に、乾電池２の負極２ｂ側を先に第１正極側内壁板部３ａ１に対面して第１区画室３ａに挿入し、それから、乾電池２の正極２ａの突出部２ａ１側を第１負極側内壁板部３ａ２に対面して第１区画室３ａに挿入するとき、第１可動負極給電極子６ａに対して乾電池２の正極２ａの突出部２ａ１が横向きに対面された場合には、第１可動負極給電極子６ａの頂部６ａ１は、湾曲面に形成されるから、乾電池２の正極２ａの突出部２ａ１の横方向の押圧力は、軸方向の移動力に変換されて第１コイルバネ７ａを圧縮して第１可動負極給電極子６ａを第１負極側内壁板部３ａ２に没入移動し、その第１コイルバネ７ａの反発力を乾電池２に受けて収容させることができ、従来のコイルバネ型の弾性部材を横方向から押圧することがない。よって、乾電池２がアルカリ乾電池であっても、外装の合成樹脂ラベルを損傷させることがない。
【００３９】
また、乾電池２の正極２ａの突出部２ａ１側を先に第１正極側内壁板部３ａ１に対面して第１区画室３ａに挿入し、それから、乾電池２の負極２ｂ側を第１負極側内壁板部３ａ２に対面させて第１区画室３ａに挿入し、第１可動負極給電極子６ａに対して乾電池２の負極２ｂの中心寄り底面部２ｂ１が横向きに対面された場合においても、第１可動負極給電極子６ａの頂部６ａ１は、前述のように、湾曲面に形成されるから、乾電池２の負極２ｂの中心寄り底面部２ｂ１の横方向押圧力は、第１可動負極給電極子６ａに対して軸方向の移動力に変換され、第１コイルバネ７ａを圧縮して第１可動負極給電極子６ａを第１負極側内壁板部３ａ２に没入移動し、その第１コイルバネ７ａの反発力を受けて収容させることができ、乾電池２がアルカリ乾電池では、容器は正極に構成され、合成樹脂ラベルの下の底面部の外周縁は正極であるから、これが、従来のコイルバネ型の弾性部材に対して横方向から押圧されて接すると容易に合成樹脂ラベルを損傷したが、第１可動負極給電極子６ａの頂部６ａ１は、湾曲して広い面積で接触するから接触圧が低下し、破損されることがなく、乾電池２の負極２ｂの中心寄り底面部２ｂ１が第１可動負極給電極子６ａの頂部６ａ１に常に正しく接触し、乾電池２がアルカリ乾電池であってもこれをショートさせることがない。
【００４０】
前記乾電池２を第１区画室３ａに収容する実施例は、乾電池２を第２区画室３ｂに収容する実施例でも同様に作用するものである。そして、実施例としての玩具用乾電池ボックス１には、函体１ａに設けた軸受部１ｂ１、１ｂ２の軸受孔９ａ、９ｂに基端部８ａの軸部８ａ１、８ａ２が回転かつスライド自在に嵌挿され、函体１ａに形成された掛止孔１０に係脱自在の係合部１１を先端に有する蓋板８が付設される。
【００４１】
本発明の実施例の玩具用乾電池ボックス１を構成する函体１ａは、金型が上下に移動して構成される空隙に合成樹脂材が射出されて成形されるものであるから、第１区画室３ａを構成する第１正極側内壁板部３ａ１の第１凹陥孔３ａ１１は開口面３ａ１２を備えて開口し、第１負極側内壁板部３ａ２の第１軸受孔３ａ２１も開口面３ａ２２を備えて開口している。同じく、第２区画室３ｂを構成する第２正極側内壁板部３ｂ１の第２凹陥孔３ｂ１１も開口面３ｂ１２を備えて開口し、第２負極側内壁板部３ｂ２の第２軸受孔３ｂ２１も開口面３ｂ２２を備えて開口している。そして、前記第１凹陥孔３ａ１１は、閉鎖部材板により閉鎖してもよいが、この実施例では開放のままで、函体１ａの第１区画室３ａを第２負極側内壁板部３ｂ２の第２軸受孔３ｂ２１の開口面３ｂ２２を閉鎖部材板１２の閉鎖突合面１２ａにより閉鎖し、第２コイルバネ７ｂにより付勢される第２可動負極給電極子６ｂが第２軸受孔３ｂ２１から脱落しないように構成している。前記閉鎖部材板１２は、函体１ａにおける第２負極側内壁板部３ｂ２の隣接する取付部１３のネジ取付孔１４にネジ１５を螺合して固着している。１６は取付孔で、閉鎖部材板１２を上下に貫通する。１７は位置決めピンで、閉鎖部材板１２の裏面に一体に設ける。前記位置決めピン１７は函体１ａにおける第２負極側内壁板部３ｂ２の隣接する取付部１３に開口するピン用嵌合孔１８に嵌入する。
【００４２】
１９は第１スイッチ導電板であって、第１スイッチ接点板部１９ａと第１接続板部１９ｂを構成するＬ型に形成され、前記第１スイッチ接点板部１９ａは、第１区画室３ａ及び第２区画室３ｂに対応して函体１ａの長手方向の一方の端部に形成されたスイッチ台部２０の第１区画室３ａに対応する第１載設溝部２０ａに載置され、前記第１接続板部１９ｂは、スイッチ台部２０の前記第１負極側内壁板部３ａ２と離隔して対設される内壁面２１に対応して配置される。この第１接続板部１９ｂには、保持孔２２が開口され、該保持孔２２に前記第１コイルバネ７ａの一方の端部が嵌合され、第１コイルバネ７ａが第１接続板部１９ｂに導通接続されるとともに、第１コイルバネ７ａを定位置に保持し、第１コイルバネ７ａの他端に接続する第１可動負極給電極子６ａを拡張力により軸方向に移動し、第１可動負極給電極子６ａの基縁部６ａ３の鍔面を前記第１負極側内壁板部３ａ２の外方側面に押圧させている。
【００４３】
前記第１スイッチ接点板部１９ａの先端には、下側に折曲される第１定置片１９ｃが接続され、該定置片１９ｃが前記スイッチ台部２０に開口する第１定置孔２３に差入れられて、第１定置片１９ｃと第１接続板部１９ｂのバネ作用により第１スイッチ導電板１９の全体が組立て時に定位置に保持される。
【００４４】
前記第２可動負極給電極子６ｂを付勢する第２コイルバネ７ｂを一方の端部を嵌合する第３接続板部１９ｂ１が前記第１接続板部１９ｂの保持孔２２と同様の保持孔（図示しない。）を開口して備えて第２負極側内壁板部３ｂ２の反対面側に配備されている。
【００４５】
２４は第２スイッチ導電板であって、第２スイッチ接点板部２４ａと前記第２固定正極給電極板５ｂを構成する第２接続板部２４ｂとによりＬ型に形成され、前記第２スイッチ接点板部２４ａは、第１区画室３ａ及び第２区画室３ｂに対応して函体１の長手方向の一方の端部に形成されたスイッチ台部２０の第２区画室３ｂに対応する第２載設溝部２０ｂに載置され、前記第２固定正極給電極板５ｂは、スイッチ台部２０の前記第２正極側内壁板部３ｂ１の内壁面に対応して配置される。この第２スイッチ導電板２４の第２スイッチ接点板部２４ａの先端には、下側に折曲される第２定置片２４ｃが接続され、該第２定置片２４ｃが前記スイッチ台部２０に開口する第２定置孔２５に差入れられて、第２定置片２４ｃと第２接続板部２４ｂの第２正極側内壁板部３ｂ１のバネ作用により第２スイッチ導電板２４の全体が組立て時に定位置に保持される。
【００４６】
２６はスライドスイッチで、スライドスイッチ本体２７とスイッチバネ板２８が結合されてなる。前記スライドスイッチ本体２７は、その上面２７ａに長方形に突出する摘み部２９が具えられ、その下面２７ｂに函体１ａのスイッチ台部２０のスライド支承面３０、３１に連接する平坦面２７ｂ１が形成されるとともに該平坦面２７ｂ１の中央部分が凹陥取付部２７ｂ１１に形成され、かつその凹陥取付部２７ｂ１１の中心の天井面から取付軸３２が垂設されてなる。前記スイッチバネ板２８は、前記スライドスイッチ本体２７の取付軸３２に嵌合する取付孔３３が中央に具えられた取付部２８ａとその両側に接続される左側湾曲接触部２８ｂと右側湾曲接触片２８ｃが具えられる。
【００４７】
３４はスライドスイッチ装着カバーで、取付孔３５ａ、３５ｂを具え、上面から取付孔３５ａ、３５ｂに嵌合したネジ３６、３６を前記函体１ａのスイッチ台２０に設けたネジ取付孔３７ａ、３７ｂに螺合されて取付けられる。
【００４８】
前記スライドスイッチ装着カバー３４は、上面に摘み部案内孔３８が開口され、摘み部案内孔３８にスライドスイッチ本体２７の摘み部２９を嵌挿して、スライドスイッチ本体２７にスイッチバネ板２８を取付軸３２に嵌合して一体にスライド自在に取付けている。
【００４９】
前記スライドスイッチ装着カバー３４は、前記第１負極側内壁板部３ａ２に上面が開放された第１軸受孔３ａ２１を閉鎖する閉鎖部３９が一体に形成されている。
【００５０】
スライドスイッチ装着カバー３４がスイッチ台部２０に固着されると、下面には第１突出部４０と第２突出部４１が突設されているので、第１突出部４０は第１スイッチ導電板１９の第１接点板部１９ａを、第２突出部４１は第２スイッチ導電板２４の第２接点板部２４ａを夫々圧着し、第１スイッチ導電板１９と第２スイッチ導電板２４が定置に保持される。
【００５１】
摘み部２９を摘み部案内孔３８に沿ってスライドさせて、スイッチバネ板２８の左側湾曲接触部２８ｂを前記第１接点板部１９ａに、右側湾曲接触部２８ｃを前記第２接点板部２４ａに差し渡したとき、両者を導通し、前記第１固定正極給電極板５ａと第２可動負極給電極子６ｂに導通する電動機（図示しない。）に乾電池２、２の電力を供給し、電動機を作動させるものである。
【００５２】
次に、摘み部２９を摘み部案内孔３８に沿って反対にスライドさせると、スイッチバネ板２８の左側湾曲接触部２８ｂは、前記第１接点板部１９ａから離れるので右側湾曲接触部２８ｃが前記第２接点板部２４ａに接していても両者の導通は遮断し、乾電池２、２の給電回路から開路するので電力の供給はなくなり、電動機は作動を停止するものである。
【００５３】
前記第１接点板部１９ａに、右側湾曲接触部２８ｃを前記第２スイッチ接点板部２４ａに差し渡したとき、両者を導通し、前記第１固定正極給電極板５ａと第２可動負極給電極子６ｂに導通する電動機（図示しない。）に乾電池２、２の電力を供給して作動させるものである。
【００５４】
前記第１スイッチ導電板１９の第１スイッチ接点板部１９ａは第１載設溝部２０ａに、第２スイッチ導電板２４の第２スイッチ接点板部２４ａは、第２載設溝部２０ｂに夫々載置され、夫々の上面は、スライド支承面より低位に設けられるので、スイッチバネ板２８は夫々の移動位置に定置するものである。
【産業上の利用可能性】
【００５５】
本発明の玩具用電池ボックスは、電動玩具の生産性と取扱い性と安全性の向上に寄与するものである。
【符号の説明】
【００５６】
１  玩具用乾電池ボックス
１ａ  函体
１ｂ１  軸受部
１ｂ２  軸受部
２  乾電池
２ａ  正極
２ａ１  突出部
２ａ１１  先端面
２ｂ  負極
２ｂ１  中心寄り底面部
３  収容部
３ａ  第１区画室
３ａ１  第１正極側内壁板部
３ａ１１  第１凹陥孔
３ａ１２  開口面
３ａ２  第１負極側内壁板部
３ａ２１  第１軸受孔
３ａ２２  開口面
３ｂ  第２区画室
３ｂ１  第２正極側内壁板部
３ｂ１１  第２凹陥孔
３ｂ１２  開口面
３ｂ２  第２負極側内壁板部
３ｂ２１  第２軸受孔
３ｂ２２  開口面
４ａ  区画壁
４ｂ  区画壁
５ａ  第１固定正極給電極板
５ｂ  第２固定正極給電極板
６ａ  第１可動負極給電極子
６ａ１  頂部
６ａ２  外周部
６ａ３  基縁部
６ｂ  第２可動負極給電極子
６ｂ１  頂部
６ｂ２  外周部
６ｂ３  基縁部
７ａ  第１コイルバネ
７ｂ  第２コイルバネ
８  蓋板
８ａ  基端部
８ａ１  軸部
８ａ２  軸部
９ａ  軸受孔
９ｂ  軸受孔
１０  掛止孔
１１  係合部
１２  閉鎖部材板
１２ａ  閉鎖突合面
１３  取付部
１４  ネジ取付孔
１５  ネジ
１６  取付孔
１７  位置決めピン
１８  ピン用嵌合孔
１９  第１スイッチ導電板
１９ａ  第１スイッチ接点板部
１９ｂ  第１接続板部
１９ｂ１  第３接続板部
１９ｃ  定置片
２０  スイッチ台部
２０ａ  第１載設溝部
２０ｂ  第２載設溝部
２１  内壁面
２２  保持孔
２３  定置孔
２４  第２スイッチ導電板
２４ａ  第２スイッチ接点板部
２４ｂ  第２接続板部
２４ｃ  第２定置片
２５  第２定置孔
２６  スライドスイッチ
２７  スライドスイッチ本体
２７ａ  上面
２７ｂ  下面
２７ｂ１  平坦面
２７ｂ１１  凹陥取付部
２８  スイッチバネ板
２８ａ  取付部
２８ｂ  左側湾曲接触部
２８ｃ  右側湾曲接触片
２９  摘み部
３０  スライド支承面
３１  スライド支承面
３２  取付軸
３３  取付孔
３４  スライドスイッチ装着カバー
３５ａ  取付孔
３５ｂ  取付孔
３６  ネジ
３７ａ  ネジ取付孔
３７ｂ  ネジ取付孔
３８  摘み用案内孔
３９  閉鎖部
４０  第１突出部
４１  第２突出部
【図１】
0005492756.tif 000002
【図２】
0005492756.tif 000003
【図３】
0005492756.tif 000004
【図４】
0005492756.tif 000005
【図５】
0005492756.tif 000006
【図６】
0005492756.tif 000007
【図７】
0005492756.tif 000008
【図８】
0005492756.tif 000009
【図９】
0005492756.tif 000010
【図１０】
0005492756.tif 000011